(57)【特許請求の範囲】
【請求項１】
壁板又は床板に対して室外側に配置されるガス栓本体と、前記ガス栓本体を、前記壁板を含む壁の構成部材又は前記床板を含む床の構成部材に固定する固定手段と、前記ガス栓本体に具備され、前記壁板又は前記床板に形成された貫通孔に室内側から挿入されたソケットが着脱可能に接続されるプラグ部と、前記プラグ部に接続された前記ソケットを接続解除する為の取外し部材と、前記取外し部材を解除操作する為に、前記ガス栓本体に室内外方向へ移動可能に設けられた操作部材とを有し、
前記操作部材の室内側の端部は、室内側を向く端面を有し、
前記プラグ部に前記ソケットが接続されると、前記取外し部材が取外し位置から取付位置に変位し、これに伴い前記操作部材が室外側から室内側へ向かって押込み位置から初期位置に変位し、
前記プラグ部に前記ソケットが接続された状態で、前記操作部材が室外側へ向かって前記初期位置から前記押込み位置に押込み操作されると、前記取外し部材が前記取付位置から前記取外し位置に変位し、これに伴い前記ソケットが前記プラグ部から接続解除される埋設型ガス栓であって、
前記操作部材に対し前記貫通孔を通して室内から着脱可能に装着される副操作部材を有し、
前記副操作部材の室外側を向く面に位置決め凹部が形成され、この位置決め凹部が前記操作部材の室内側の端部に室内外方向へ着脱可能に、室内外方向と直交する方向へ移動不能に、かつ回転不能に嵌合されていることを特徴とする埋設型ガス栓。
【請求項２】
前記操作部材は、中空に形成され、その内部空間を塞ぐ頭部を有し、この頭部が上記室内側の端部として提供されることを特徴とする請求項１に記載の埋設型ガス栓。
【請求項３】
壁板又は床板に対して室外側に配置されるガス栓本体と、前記ガス栓本体を、前記壁板を含む壁の構成部材又は前記床板を含む床の構成部材に固定する固定手段と、前記ガス栓本体に具備され、前記壁板又は前記床板に形成された貫通孔に室内側から挿入されたソケットが着脱可能に接続されるプラグ部と、前記プラグ部に接続された前記ソケットを接続解除する為の取外し部材と、前記取外し部材を解除操作する為に、前記ガス栓本体に室内外方向へ移動可能に設けられた操作部材とを有し、
前記プラグ部に前記ソケットが接続されると、前記取外し部材が取外し位置から取付位置に変位し、これに伴い前記操作部材が室外側から室内側へ向かって押込み位置から初期位置に変位し、
前記プラグ部に前記ソケットが接続された状態で、前記操作部材が室外側へ向かって前記初期位置から前記押込み位置に押込み操作されると、前記取外し部材が前記取付位置から前記取外し位置に変位し、これに伴い前記ソケットが前記プラグ部から接続解除される埋設型ガス栓であって、
前記操作部材に対し前記貫通孔を通して室内から着脱可能に装着される副操作部材を有し、
前記副操作部材の室外側を向く面に位置決め凹部が形成され、この位置決め凹部が前記操作部材の室内側の端部に室内外方向へ着脱可能に、かつ室内外方向と直交する方向へ移動不能に嵌合されており、
前記副操作部材が、複数用いられ、複数の副操作部材が室内外方向に順次配置され、各副操作部材の室内側を向く面には、当該副操作部材に対して室内側に隣接する他の副操作部材の前記位置決め凹部に室内外方向へ着脱可能に、かつ室内外方向と直交する方向へ移動不能に嵌合する突出部が設けられていることを特徴とする埋設型ガス栓。
【請求項４】
前記突出部が前記位置決め凹部に嵌合する前記操作部材の上端部と水平方向において同一位置に配置されていることを特徴とする請求項３に記載の埋設型ガス栓。
【請求項５】
前記壁板又は前記床板の室内に臨む面には、前記壁板又は前記床板の前記貫通孔及びその近傍部分を覆う化粧板が着脱可能に設けられ、前記化粧板には、前記副操作部材を室内外方向へ移動可能に、かつ室内外方向と直交する方向へ移動不能にガイドするガイド部が設けられていることを特徴とする請求項１〜４のいずれかに記載の埋設型ガス栓。
【請求項６】
キャップをさらに備え、前記キャップが、前記プラグ部にその先端面を覆った状態で着脱可能に取り付けられる被覆部と、この被覆部に基端部が連結された変形可能な細長い連結部とを有し、前記連結部の先端部が前記副操作部材に連結されていることを特徴とする請求項１〜５のいずれかに記載の埋設型ガス栓。
【請求項７】
キャップをさらに備え、前記キャップが、前記プラグ部にその先端面を覆った状態で着脱可能に取り付けられる被覆部と、この被覆部に基端部が連結された変形可能な細長い連結部とを有し、前記ガス栓本体には、これと別体である支持部材が取り付けられ、この支持部材に前記操作部材が室内外方向へ移動可能に設けられ、前記連結部の先端部が前記支持部材に連結されていることを特徴とする請求項１〜５のいずれかに記載の埋設型ガス栓。
【発明の詳細な説明】
【技術分野】
【０００１】
この発明は、壁板を含む壁の構成部材又は床板を含む床の構成部材に設けられる埋設型ガス栓に関する。
【背景技術】
【０００２】
従来、埋設型ガス栓の一つとして床下埋設型ガス栓がある。床下埋設型ガス栓は、ガス栓本体を有している。ガス栓本体は、プラグ部を有しており、このプラグ部を上方に向けた状態で床板の下側に配置されている。床板には、プラグ部と対向する貫通孔が形成されている。この貫通孔からソケットが挿入され、プラグ部に接続される。
【０００３】
ガス栓本体には、取外し部材が設けられている。取外し部材は、プラグ部にソケットが接続されていない状態では取外し位置に位置しており、プラグ部ソケットが接続されるとソケットによって取外し位置から取付位置まで移動させられる。
【０００４】
ガス栓本体には、貫通孔を介して手動操作される操作部材が設けられている。操作部材を下方へ押すと、取外し部材が取付位置から取外し位置まで移動させられ、それによってソケットのプラグ部に対する接続状態が解除される。したがって、ソケットをプラグ部から取り外すことができる。
【０００５】
ところで、床板の上面から操作部材までの距離は、ガス栓本体の取付位置によって定まるものであり、ガス栓本体の取付位置は、ガス栓本体に接続されるガス管の位置等に応じて変化する。ガス栓本体の取付位置が通常の取付位置に対して下側であると、操作部材が床板の上面から下方へ大きく離間する。この結果、操作部材の押し下げ操作が困難になる。逆に、ガス栓本体の取付位置が通常の取付位置より上側であると、操作部材が床板の貫通孔及びその近傍を覆う化粧板に突き当ってしまい、化粧板を床板に取り付けることができなくなるおそれがある。
【０００６】
このような不都合を解消するために、下記特許文献１に記載のものにおいては、ガス栓本体に長手方向を上下方向に向けたねじ部材を設け、このねじ部材に操作部材を螺合させている。したがって、操作部材は、ねじ部材に対して正逆方向へ適宜に回転させることによって上下方向へ位置調節することができ、それによってガス栓本体の取付位置の変化を吸収するようにしている。
【先行技術文献】
【特許文献】
【０００７】
【特許文献１】特開２００４−２０５０１５
【発明の概要】
【発明が解決しようとする課題】
【０００８】
前記特許文献１に記載の床下埋設型ガス栓においては、位置調節のためのねじ部材を必要とし、その分だけ部品点数が増える。このため、ガス栓の製造費が高くなるという問題があった。また、操作部材をねじ部材に対して回転させる必要がある。この場合、操作部材の周囲が開放されているならば、操作部材の回転を容易に行うことができるが、操作部材は床板に形成された貫通孔内に配置されている。しかも、貫通孔はできる限り小さく形成されている。このため、操作部材を回転させ難く、操作部材の位置調節に多くの手間を要するという問題があった。このような問題は、壁板に対して室外側に配置される埋設型ガス栓も同様である。
【課題を解決するための手段】
【０００９】
この発明は、前記の問題を解決するために、壁板又は床板に対して室外側に配置されるガス栓本体と、前記ガス栓本体を、前記壁板を含む壁の構成部材又は前記床板を含む床の構成部材に固定する固定手段と、前記ガス栓本体に具備され、前記壁板又は前記床板に形成された貫通孔に室内側から挿入されたソケットが着脱可能に接続されるプラグ部と、前記プラグ部に接続された前記ソケットを接続解除する為の取外し部材と、前記取外し部材を解除操作する為に、前記ガス栓本体に室内外方向へ移動可能に設けられた操作部材とを有し、前記プラグ部に前記ソケットが接続されると、前記取外し部材が取外し位置から取付位置に変位し、これに伴い前記操作部材が室外側から室内側へ向かって押込み位置から初期位置に変位し、前記プラグ部に前記ソケットが接続された状態で、前記操作部材が室外側へ向かって前記初期位置から前記押込み位置に押込み操作されると、前記取外し部材が前記取付位置から前記取外し位置に変位し、これに伴い前記ソケットが前記プラグ部から接続解除される埋設型ガス栓であって、前記操作部材に対し前記貫通孔を通して室内から着脱着可能に装着される副操作部材を有することを特徴としている。
この場合、前記副操作部材の室外側を向く面に位置決め凹部が形成され、この位置決め凹部に前記操作部材の室内側の端部が室内外方向へ着脱可能に、かつ室内外方向と直交する方向へ移動不能に嵌合されていることが望ましい。
前記副操作部材は、複数用いられていてもよく、その場合には、複数の副操作部材が室内外方向に順次配置され、各副操作部材の室内側を向く面には、当該副操作部材に対して室内側に隣接する他の副操作部材の前記位置決め凹部に室内外方向へ着脱可能に、かつ室内外方向と直交する方向へ移動不能に嵌合する突出部が設けられていることが望ましい。
前記突出部が前記位置決め凹部に嵌合する前記操作部材の上端部と水平方向において同一位置に配置されていることが望ましい。
前記壁板又は前記床板の室内に臨む面には、前記壁板又は前記床板の前記貫通孔及びその近傍部分を覆う化粧板が着脱可能に設けられ、前記化粧板には、前記副操作部材を室内外方向へ移動可能に、かつ室内外方向と直交する方向へ移動不能にガイドするガイド部が設けられていることが望ましい。
キャップをさらに備え、前記キャップが、前記プラグ部にその先端面を覆った状態で着脱可能に取り付けられる被覆部と、この被覆部に基端部が連結された変形可能な細長い連結部とを有し、前記連結部の先端部が前記副操作部材に連結されていることが望ましい。
キャップをさらに備え、前記キャップが、前記プラグ部にその先端面を覆った状態で着脱可能に取り付けられる被覆部と、この被覆部に基端部が連結された変形可能な細長い連結部とを有し、前記ガス栓本体には、これと別体である支持部材が取り付けられ、この支持部材に前記操作部材が室内外方向へ移動可能に設けられ、前記連結部の先端部が前記支持部材に連結されていることが望ましい。
【発明の効果】
【００１０】
前記特徴構成を有するこの発明によれば、操作部材に副操作部材が設けられているので、ソケットをプラグから取り外す際には、副操作部材を室外側へ押すことになる。ここで、副操作部材の室外側の面の位置は、ガス栓本体の設置位置に応じて変化するが、ガス栓本体の設置位置が所定の位置より室外側である場合には副操作部材として高さが高い（室内外方向における寸法が大きい）副操作部材を用い、ガス栓本体の設置位置が所定の位置より室内側である場合には副操作部材として高さが低い（室内外方向における寸法が小さい）副操作部材を用いる。これにより、副操作部材の室内側の面を操作しやすい位置に位置させることができる。しかも、副操作部材は、操作部材に接触させるだけであるから、ねじ部材を用いた場合のような回転操作が不要である。したがって、ガス栓の設置に要する手間を軽減することができる。また、ねじ部材が不要であるから、その分だけガス栓の製造費を低減することができる。
【図面の簡単な説明】
【００１１】
【図１】図１は、この発明の第１実施の形態を、蓋体を閉じた状態で示す縦断面図である。
【図２】図２は、同実施の形態を、蓋体を開いた状態で示す縦断面図である。
【図３】図３は、同実施の形態を、プラグ部にソケットを接続した状態で示す図２と同様の断面図である。
【図４】図４は、同実施の形態を、蓋体を閉じた状態で示す平面図である。
【図５】図５は、同実施の形態を、蓋体を開いた状態で示す平面図である。
【図６】図６は、同実施の形態を、化粧板を削除した状態で示す平面図である。
【図７】図７は、同実施の形態を、化粧板及び取付板を削除した状態で示す平面図である。
【図８】図８は、同実施の形態を、化粧板、取付板及び外しユニットを削除した状態で示す平面図である。
【図９】図９は、同実施の形態の分解斜視図である。
【図１０】図１０は、同実施の形態において用いられている外しユニット及び副操作ボタンを示す分解斜視図である。
【図１１】図１１は、同実施の形態において用いられている外しユニットを示す平面図である。
【図１２】図１２は、同外しユニットの側面図である。
【図１３】図１３は、同外しユニットの底面図である。
【図１４】図１４は、図１１のＸ−Ｘ線に沿う断面図である。
【図１５】図１５は、操作ボタンを初期位置に移動させた状態で示す図１４と同様の断面図である。
【図１６】図１６は、同実施の形態において用いられている副操作ボタンを示す平面図である。
【図１７】図１７、同副操作ボタンの側面図である。
【図１８】図１８は、同副操作ボタンの底面図である。
【図１９】図１９は、図１６のＸ−Ｘ線に沿う断面図である。
【図２０】図２０は、同実施の形態において用いられている取付板を床板の上面に固定する工程を示す斜視図である。
【図２１】図２１は、同実施の形態において用いられている化粧板を床板に取付板を介して取り付ける工程を示す斜視図である。
【図２２】図２２は、この発明の第２実施の形態を示す図２と同様の縦断面図である。
【図２３】図２３は、この発明の第３実施の形態を示す図２と同様の縦断面図である。
【図２４】図２４は、この発明の第４実施の形態を示す図１と同様の断面図である。
【図２５】図２５は、同実施の形態を示す図２と同様の断面図である。
【図２６】図２６は、同第４実施の形態において用いられているキャップを示す平面図である。
【図２７】図２７は、図２６のＸ矢視図である。
【図２８】図２８は、図２６のＹ矢視図である。
【図２９】図２９は、図２６のＺ−Ｚ線に沿う断面図である。
【図３０】図３０は、同第４実施の形態において用いられている副操作ボタンを示す平面図である。
【図３１】図３１は、図３０のＸ矢視図である。
【図３２】図３２は、同副操作ボタンをキャップが取り付けられた状態で示す平面図である。
【図３３】図３３は、図３２のＸ−Ｘ線に沿う断面図である。
【図３４】図３４は、この発明の第１〜第３実施の形態において用いられている支持部材の変形例をキャップが取り付けられた状態で示す平面図である。
【図３５】図３５は、図３４のＸ矢視図である。
【発明を実施するための形態】
【００１２】
以下、この発明を実施するための最良の形態を、図面を参照して説明する。
図１〜図２１は、この発明の第１実施の形態を示す。この実施の形態は、この発明を床下埋設型ガス栓（埋設型ガス栓）に適用したものである。そこで、まず床下埋設型ガス栓が設置される建物の床部の構造を簡単に説明すると、図１〜図３に示すように、水平に配置された根太（図示せず；床の構成部材）の上には、床板Ｆが載置固定されている。床板Ｆの適宜の箇所には、床板Ｆを上下方向（室内外方向）に貫通する貫通孔Ｆａが形成されている。貫通孔Ｆａは、断面円形であるが、断面正方形等の非円形であってもよい。
【００１３】
次に、この発明に係る床下埋設型ガス栓について説明する。この実施の形態の床下埋設型ガス栓１は、特に図１〜図３及び図９に示すように、ガス栓本体２、カバー３、外しユニット４、副操作ボタン（副操作部材）５、取付板６、及び化粧板７を有している。
【００１４】
ガス栓本体２は、特に図１〜図３、図８及び図９に示すように、ガス管接続部２１及びプラグ部２２を有している。ガス栓本体２の内部には、ガス管接続部２１の先端面からプラグ部２２の先端面まで延びるガス通路２３（図９参照）が形成されている。ガス管接続部２１には、一次側（供給側）のガス管（図示せず）が螺合その他の接続手段によって接続されている。このガス管からガス通路２３にガスが供給される。一方、プラグ部２２は、日本工業規格（ＪＩＳ  Ｓ２１２０）で定められた形状寸法を有しており、その先端面を上側（室内Ｉ側）に向けて設けられている。プラグ部２２には、ソケットＳが着脱可能に装着される。
【００１５】
ガス栓本体２の内部には、開閉弁（図示せず）が設けられている。この開閉弁は、ソケットＳがプラグ部２２に接続されると、ガス通路２３を開く。この結果、一次側のガス管からガス通路２３に流入したガスが、ソケットＳ及び二次側のガス管（図示せず）を介してガス器具（図示せず）に供給される。開閉弁は、ソケットＳがプラグ部２２から取り外されると、ガス通路２３を自動的に閉じる。
【００１６】
カバー３は、特に図１〜図３及び図９に示すように、有底円筒状をなしており、その底部を下側（室外Ｏ側）に、その開口部を上側に位置させた状態で配置されている。カバー３の上端部は、貫通孔Ｆａの下端部に挿脱可能に挿入されている。カバー３の上端部が貫通孔Ｆａに挿入されることなく、カバー３全体が床板Ｆより下側に配置されることもある。
【００１７】
カバー３の外周面には、二つの平坦部３１が周方向に１８０°離れて形成されている。この二つの平坦部３１が形成されることにより、カバー３は、実際には平面略視長円状になっている。平坦部３１には、木ねじ（図示せず）がカバー３の内側から挿通されており、その木ねじを根太にねじ込んで締め付けることにより、平坦部３１が根太の側面に押圧固定され、ひいてはカバー３が根太に固定されている。
【００１８】
カバー３の内部には、ガス栓本体２が収容されている。ガス栓本体２は、カバー３にビスその他の固定手段（図示せず）によって固定されている。この結果、ガス栓本体２が根太にカバー３を介して支持されている。前記のように、ガス栓本体２は、一次側のガス管に接続され、そのガス管によっても支持されている。ガス管の支持強度が高い場合には、必ずしもカバー３を根太に固定する必要がない。逆に、カバー３を根太に固定する場合には、一次側のガス管として剛性の低いものを採用してもよい。例えば、フレキシブルガス管を一次側のガス管として採用してもよい。なお、ガス栓本体２をガス管によって支持させるとともに、カバー３を根太に固定する場合において、根太と平坦部３１との間に大きな間隔がある場合には、根太にスペーサを固定し、このスペーサに平坦部３１を固定すればよい。
【００１９】
ガス栓本体２がカバー３の内部に収容され、かつカバー３の上端部が貫通孔Ｆａに挿入されていることから明らかなように、ガス栓本体２のプラグ部２２は、上方から見たとき、貫通孔Ｆａ内に位置するように配置されている。しかも、このガス栓１においては、プラグ部２２の先端部（上端部）がカバー３から上方に突出し、貫通孔Ｆａの下端部に入り込んでいる。プラグ部２２の先端部は、カバー３の上端より下側に位置させ、貫通孔Ｆａに入り込まないようにしてもよい。カバー３の下端部には、切欠き部３２が形成されている。この切欠き部３２を通ってガス管接続部２１がカバー３の外部に突出させられている。
【００２０】
前記外しユニット４は、特に図９及び図１０に示すように、ユニット本体４１を有している。ユニット本体４１は、カバー３の内部に収容されており、ガス栓本体２にビスＢ１，Ｂ１によって固定されている。ユニット本体４１の水平方向の一端部（図１〜図３において右端部；図９において左端部）には、筒部４２が形成されている。この筒部４２は、その軸線を上下方向に向けて配置されている。筒部４２の内部には、プラグ部２２がその軸線を筒部４２の軸線と一致させた状態で挿入されている。筒部４２には、プラグ部２２に接続されるソケットＳが挿入される。そこで、筒部４２は、その上端開口部からソケットＳを挿脱することができるよう、ソケットＳの最大外径より大きい内径を有している。
【００２１】
特に図１１、図１４及び図１５に示すように、ユニット本体４１の水平方向の他端部には、ガイド孔４３が形成されている。ガイド孔４３は、断面略長方形状をなしており、ユニット本体４１の他端部を上下方向に貫通している。ガイド孔４３には、操作ボタン（操作部材）４４が上下方向へは移動可能に、水平方向へは移動不能に挿入されている。しかも、ガイド孔４３が非円形であるので、操作ボタン４４は、ガイド孔４３に回転不能に挿入され、それによって操作ボタン４４の水平面内における回転が阻止され、操作ボタン４４の姿勢が一定に維持されている。
【００２２】
操作ボタン４４は、図１、図２及び図１４に示す押込み位置と、図３及び図１５に示す初期位置との間を上下方向（室内外方向）へ移動可能である。操作ボタン４４の押込み位置は、操作ボタン４４の上端部に形成された頭部４４ａがユニット本体４１の上面に突き当たることによって定められている。一方、操作ボタン４４の初期位置は、ユニット本体４１と操作ボタン４３との間に設けられた係止機構４５によって定められている。
【００２３】
すなわち、操作ボタン４４は、図１０に示すように、略直方体の箱状をなしており、水平方向の一側部及び他側部が開放されている。図１〜図３、図１４及び図１５に示すように、操作ボタン４４の底面の中央部には、係止片４５ａが形成されている。この係止片４５ａは、上方へ向かうにしたがって操作ボタン４４の内側から外側へ向かうにように傾斜させられており、その上端部は、係止片４５ａに外力が作用しない自然状態では、操作ボタン４４の開放部を通って外部に突出させられる。しかし、操作ボタン４４がガイド孔４３に挿入されているため、係止片４５ａの上端部は、係止片４５ａ自体の弾性によってガイド孔４３の内周面に押し付けられている。したがって、係止片４５ａの上端部は、操作ボタン４４の上下方向への移動に伴ってガイド孔４３の内周面を上下方向へ摺動する。ガイド孔４３の内周面のうち、係止片４４ａの上端部が摺動する部分には、係止凹部４５ｂが形成されている。図３及び図１５に示すように、係止凹部４５ｂの上端面に係止片４５ａの上端部が突き当たると、操作ボタン４４が上方へ移動することができなくなる。このときの操作ボタン４４の位置が初期位置である。
【００２４】
ガイド孔４３の内周面には、係合凹部４５ｃが形成されている。この係合凹部４５ｃは、係止凹部４５ｂに隣接してその真下に配置されている。操作ボタン４４が初期位置から下方へ移動して押込み位置に達すると、係止片４５ａの上端部が係合凹部４５ｃに入り込む。すると、係合凹部４５ｃの傾斜した底面と係止片４５ａ自体の弾性とにより、係止片４５ａの上端部が下方へ付勢され、操作ボタン４４の頭部４４ａがユニット本体４１の上面に押し付けられる。これにより、操作ボタン４４が押込み位置にガタ無く保持される。
【００２５】
ユニット本体４１の下端部には、解除レバー（取外し部材）４６の中間部が水平な軸４７，４７を介して上下方向へ回転可能（揺動可能）に設けられている。解除レバー４６の一端部は、ガイド孔４２の下端部に臨んで位置しており、他端部は、筒部４２の内部に入り込んでいる。
【００２６】
解除レバー４６は、コイルばね４８により、図１４及び図１５において時計方向へ回転付勢されている。この回転付勢力により、解除レバー４６の一端部が操作ボタン４４の下端面に押し付けられている。したがって、解除レバー４６は、操作ボタン４４の上下方向への移動に追随して回転させられる。この場合、解除レバー４６は、操作ボタン４４が下方へ移動すると、コイルばね４８の付勢力に抗して反時計方向へ回転させられ、操作ボタン４４が上方へ移動すると、コイルばね４８によって時計方向へ回転させられる。そして、解除レバー４６は、図３及び図１５に示すように、操作ボタン４４が初期位置しているときには取付位置に位置し、図１、図２及び図１４に示すように、操作ボタン４４が押込み位置に位置しているときには取外し位置に位置する。
【００２７】
ここで、プラグ部２２にソケットＳが接続されていない非接続状態になっているものとする。非接続状態では、図１及び図２に示すように、操作ボタン４４が押込み位置に位置するとともに、解除レバー４６が取外し位置に位置している。プラグ部２２にソケットＳを外挿すると、ソケットＳが解除レバー４６の他端部を下方へ押し、解除レバー４６を取外し位置から時計方向へ回転させるとともに、操作ボタン４４を押込み位置から上方へ移動させる。図３に示すように、ソケットＳがプラグ部２２に所定の接続位置まで外挿されると、ソケットＳがプラグ部２２に接続される。また、ソケットＳの接続位置までの外挿により、解除レバー４６が取外し位置から取付位置まで回転させられるとともに、操作ボタン４４が押込み位置から初期位置まで移動させられる。
【００２８】
逆に、ソケットＳがプラグ部２２に接続された状態において、操作ボタン４４を初期位置から取外し位置まで移動させると、解除レバー４６が取付位置から取外し位置まで回転し、ソケットＳを上方へ押す。すると、ソケットＳのプラグ部２２への接続状態が解除され、ソケットＳがプラグ部２２から取り外される。なお、ソケットＳのプラグ部２２への接続構造は、周知であるのでその詳細な説明は省略する。また、ソケットＳをプラグ部２２から取り外すための構造は、前記の構造に限定されるものでなく、周知の他の構造を採用してもよい。
【００２９】
図１〜図３に示すように、操作ボタン４４の頭部４４ａの上面には、副操作ボタン５が載置されている。副操作ボタン５は、操作ボタン４４と一緒に上下方向へ移動する。そこで、操作ボタン４４が初期位置しているときの副操作ボタン５の位置も初期位置と称し、操作ボタン４４が取外し位置に位置しているときの副操作ボタン５の位置も取外し位置と称する。
【００３０】
特に図１６〜図１９に示すように、副操作ボタン５の下面には、位置決め凹部５１が形成されている。この位置決め凹部５１は、頭部４４ａと同一の平面視形状を有している。つまり、位置決め凹部５１は、平面視略長方形状をなしている。位置決め凹部５１には、頭部４４ａが上下方向へは着脱可能に、水平方向へは移動不能に挿入されている。勿論、頭部４４ａは、位置決め凹部５１に回転不能に挿入されている。位置決め凹部５１に頭部４４ａが挿入されることにより、副操作ボタン５の操作ボタン４４に対する水平方向の位置決め、及び水平面内における回転姿勢決めがなされている。位置決め凹部５１は、その平面視形状を必ずしも頭部４４ａと同一にする必要がなく、頭部４４ａが位置決め凹部５１に上下方向へは着脱可能に、水平方向へは移動不能に、かつ回転不能に挿入されるものであれば、頭部４４ａと異なる平面視形状にしてもよい。位置決め凹部５１の深さは、頭部４４ａの上下方向の厚さ（上下方向の寸法）より浅くなっている。したがって、位置決め凹部５１に頭部４４ａを挿入すると、位置決め凹部５１の底面だけが頭部４４ａの上面に接触し、副操作ボタン５の他の部分がユニット本体４１及び頭部４４ａの各上面に接触することはない。
【００３１】
副操作ボタン５の上面には、突出部５２が形成されている。この突出部５２は、頭部４４ａと同一の平面視形状を有している。しかも、突出部５２は、頭部４４ａと水平方向において同一位置に配置されている。したがって、副操作ボタン５の突出部５２を他の副操作ボタン、例えば他の副操作ボタン５の位置決め凹部５１に挿入することにより、副操作ボタン５の上に他の副操作ボタン５を重ねることができる。突出部５２は、他の副操作ボタンの位置決め凹部に挿脱可能に、かつ水平方向へ移動不能に嵌合することができる限り、頭部４４ａと異なる平面視形状に形成してもよく、さらに頭部４４ａと水平方向において異なる位置に配置してもよい。
【００３２】
図１〜図３に示すように、床板Ｆの上面には、取付板６が載置されている。取付板６は、特に図９に示すように、金属製の薄い板材からなるものであり、略長方形の枠状に形成されている。取付板６は、貫通孔Ｆａを覆うように配置されている。しかも、平面視において取付板６の内側にプラグ部２２及び副操作ボタン５が位置するように、取付板６が配置されている。取付板６は、これを上下に貫通してカバー３に螺合されたビスＢ２，Ｂ２を締め付けることにより、床板Ｆの上面に押圧固定されている。
【００３３】
取付板６には、化粧板７が着脱可能に取り付けられている。化粧板７は、平面視略正方形の枠状をなしており、取付板６を覆って室内から見えないようにすることができるだけの大きさ及び形状を有している。化粧板７の中央部には、窓孔７１が形成されている。この窓孔７１は、平面視したときに窓孔７１の内側にプラグ部２２及び副操作ボタン５が位置するのみならず、その内部を通してソケットＳをプラグ部２２に接続することができ、さらに指を挿入して副操作ボタン５を初期位置から取外し位置まで押し下げることができるように、その形状及び大きさ並びに水平方向の位置が定められている。
【００３４】
なお、図５に示すように、窓孔７１の図５における上下方向の幅は、同方向における副操作ボタン５の寸法より小さくなっている。したがって、化粧板７が取付板６に取り付けられた状態では、副操作ボタン５を図５の上側へ取り外すことができない。取付板６の内側の図６における上下方向の寸法は、副操作ボタン５が上下方向へ通り抜けることができるような寸法に設定されている。したがって、化粧板７を取り外すことにより、副操作ボタン５を室内Ｉ側に取り外すことができ、さらに他の副操作ボタンを室内Ｉ側から取付板６内を通して頭部４４ａに載置することができる。
【００３５】
窓孔７１には、蓋体７２が装着されている。蓋体７２は、図１に示す閉位置と図２に示す開位置との間を変位可能である。蓋体７２は、閉位置に位置しているときには、窓孔７１全体を閉じる。その一方、蓋体７２は、開位置に位置しているときには、窓孔７１の一端部（図２において左端部）に移動するととともに、上下に起立した状態になり、蓋体７２自体が存在する部分を除いて窓孔７１を開く。
【００３６】
化粧板７には、その下面から下方に延びるガイド部７３が形成されている。このガイド部７３は略筒状をなしており、上下の両端部が開放されている。ガイド部７３には、副操作ボタン５が上下方向へは移動可能、かつ水平方向へ移動不能、かつ回転不能に挿入されている。これにより、副操作ボタン５がガタなく上下方向へ移動することができるようになっている。勿論、ガイド部７３が上方へ開放されているので、窓孔７１からガイド部７３内に指を挿入して副操作ボタン５を押し下げることができる。
【００３７】
前記構成の床下埋設型ガス栓１を設置する方法の一例について家屋の施工手順にしたがって説明する。ガス栓１の設置は、家屋の根太が設けられ、その下側の空間に鉄その他の剛性を有する一次側ガス管の配管された後に行われる。ガス栓１の設置に際しては、一次側ガス管の先端部（下流側の端部）の外周面にテーパ雄ねじ部を予め形成しておく。また、ガス栓本体２にカバー３を予め取り付けておく。
【００３８】
このように準備した後、まず一次側ガス管のテーパ雄ねじ部を、ガス栓本体２のガス管接続部２１に開口するガス通路２３に螺合固定する。これにより、ガス栓本体２を一次側ガス管に支持させる。その後、カバー３を根太に固定する。カバー３の根太への固定は、ガス栓本体２のガス管への螺合固定前に行ってもよい。ここまでの作業は、根太に床板Ｆが載置固定される前に行われる。
【００３９】
根太に床板Ｆが載置された後、床板Ｆには、図２０に示すように、貫通孔Ｆａが形成される。次に、取付板６にビスＢ２を挿通してカバー３に螺合させる。そして、ビスＢ２を締め付けることにより、取付板６を床板Ｆの上面に押圧固定する。その後、操作ボタン４４の頭部４４ａに副操作ボタン５を載置する。副操作ボタン５の頭部４４ａへの載置は、取付板６の床板Ｆへの固定の前に行ってもよい。なお、図２１には、副操作ボタン５が省略されている。次に、化粧板７を取付板６に取り付ける。これにより、ガス栓１の設置が完了する。
【００４０】
ガス栓１のプラグ部２２にソケットＳを接続する場合には、まず蓋体７２を開く。次に、ソケットＳを室内Ｉ側から窓孔７１を通して筒部４２に挿入し、プラグ部２２に外挿する。ソケットＳをプラグ部２２に対して所定の接続位置まで外挿すると、ソケットＳがプラグ部２２に室内側へ抜き取り不能に接続される。このとき、ソケットＳのプラグ部２２への外挿に伴って副操作ボタン５が操作ボタン４４と共に押込み位置から初期位置まで上方へ移動させられ、解除レバー４６が取外し位置から取付位置まで回転させられている。
【００４１】
ソケットＳをプラグ部２２から取り外す場合には、窓孔７１からガイド部７３内に指を挿入し、副操作ボタン５及び操作ボタン４４を下方へ押す。副操作ボタン５及び操作ボタン４４を初期位置から押込み位置まで押すと、解除レバー４６が取付位置から取外し位置まで回転させられ、それによってソケットＳがプラグ部２２から取り外される。その後、ソケットＳを窓孔７１から室内側へ引き出す。そして、蓋体７２を閉位置に戻す。
【００４２】
前記構成の床下埋設型ガス栓１においては、副操作ボタン５が操作ボタン４４の上に載置されているだけであるから、副操作ボタン５の上下方向の位置を調節するための位置調節ボルトが不要である。したがって、その分だけガス栓１の部品点数を減らすことができ、ガス栓１の製造費を低減することができる。しかも、副操作ボタン５を操作ボタン４４に載置するだけであり、位置調節ボルトを副操作ボタン５に対して相対回転させる必要が全くない。したがって、ガス栓１の設置費用を低減することができる。
【００４３】
また、ガス栓本体２の上下方向の取付位置（床板Ｆの上面からのガス栓本体２までの距離）に対応して、副操作ボタン５と異なる高さ（上下方向の厚さ）を有する他の副操作ボタンを用いることにより、副操作ボタンの上面を、化粧板７に突き当たらない範囲において指での操作に適した位置に位置させることができる。
【００４４】
例えば、図２２は、ガス栓本体２の取付位置が前記第１実施の形態の取付位置より高い場合の実施の形態（第２実施の形態）を示すものである。この第２実施の形態の床下埋設型ガス栓１Ａにおいては、前記実施の形態の副操作ボタン５に代えて副操作ボタン５Ａが採用されている。この副操作ボタン５Ａは、その高さが副操作ボタン５の高さより低い点を除き、副操作ボタン５と同一に構成されている。したがって、副操作ボタン５Ａは操作ボタン４４の頭部４４ａに載置することができる。そして、高さの低い副操作ボタン５Ａを用いることにより、ガス栓本体２が上側に設置された分を吸収し、副操作ボタン５Ａの上面を、化粧板７に突き当たらず、しかも指で操作し易い位置に位置させることができる。なお、ガス栓１Ａは、副操作ボタン５に代えて副操作ボタン５Ａが用いられている点を除き、前記実施の形態のガス栓１と同様に構成されているので、同様な部分に同一符号を付してその説明を省略する。この点は、次に述べる実施の形態についても同様である。
【００４５】
図２３は、ガス栓本体２の取付位置が前記実施の形態の取付位置より低い場合の実施の形態（第３実施の形態）を示すものである。この第３実施の形態の床下埋設型ガス栓１Ｂにおいては、第１実施の形態において用いられている副操作ボタン５と、第２実施の形態において用いられている副操作ボタン５Ａが同時に用いられている。すなわち、副操作ボタン５の突出部５２の上面に副操作ボタン５Ａの位置決め凹部５１の底面が載置されている。したがって、このガス栓１Ｂによれば、副操作ボタン５Ａの上面が指によって押圧操作されることになり、第１の実施の形態に対し、指による操作面の位置を、副操作ボタン５の高さの分だけ高くすることができる。よって、ガス栓本体２の取付位置が低い場合であっても操作ボタン５Ａの操作性を良好なものにすることができる。なお、副操作ボタン５Ａを操作ボタン４４の上に載置し、副操作ボタン５Ａの上に副操作ボタン５を載置してもよい。さらに、操作ボタン４４の上に三つ以上の副操作ボタンを順次載置してもよい。
【００４６】
図２４〜図３３は、この発明の第４実施の形態を示す。この実施の形態の床下埋設型ガス栓１Ｃにおいては、副操作ボタン５に代えて副操作ボタン（副操作部材）５Ｂが用いられるとともに、キャップ８が新たに採用されている。
【００４７】
副操作ボタン５Ｂには、特に図３０〜図３３に示すように、板部５３が形成されている。板部５３は、平面視略三角形状をなしており、副操作ボタン５Ｂのプラグ部２２側を向く側面に配置されている。板部５３には、これを上下方向に貫通する貫通孔５４が形成されている。その他の構成は、副操作ボタン５と同様である。
【００４８】
キャップ８は、特に図２６〜図２９に示すように、比較的硬質ではあるが弾性変形可能である硬質ゴムその他の樹脂からなるものであり、被覆部８１及び連結部８２を有している。
【００４９】
被覆部８１は、円形の平板状に形成されている。図２４に示すように、被覆部８１の外径は、プラグ部２２の外径と同等かそれより若干大径になっている。被覆部８１の一方の面（図２７〜図２９において下面）には、嵌合突起８１ａが形成されている。この嵌合突起８１ａは、断面円形をなしており、その軸線を被覆部８１の軸線と一致させて配置されている。嵌合突起８１ａの外径は、プラグ部２２の内径より僅かに大径になっている。したがって、嵌合突起８１ａは、プラグ部２２の内部にその先端開口部から圧入することができる。そして、嵌合突起８１ａがプラグ部２２の内周に圧入されることにより、被覆部８１がプラグ部２２に所定の大きさの力で着脱可能に取り付けられている。しかも、被覆部８１は、その軸線をプラグ部２２の軸線と一致させた状態でプラグ部２２に取り付けられる。したがって、被覆部８１をプラグ部２２に装着すると、プラグ部２２の先端面が被覆部８１によって覆われる。
【００５０】
嵌合突起８１ａが形成された被覆部８１の一方の面には、環状凹部８１ｂが形成されている。環状凹部８１ｂは、嵌合突起８１ａを囲むように形成されており、内周部が嵌合突起８１ａに接するように配置されている。環状凹部８１ｂは、プラグ部２２の先端面のうちの、テーパ部２２ａの小径側の端部及び当該端部の内側に続く平面部２２ｂと同一の断面形状を有している。したがって、被覆部８１の一方の面がプラグ部２２に接するまで嵌合突起８１ａをプラグ部２２に挿入すると、環状凹部８１ｂの底面がテーパ部２２ａの小径側の端部及び平面部２２ｂに密に接触する。これにより、テーパ部２２ａの小径側の端部及び平面部２２ｂにゴミ等が付着することが防止される。ここで、テーパ部２２ａの小径側の端部及び平面部２２ｂは、プラグ部２２にソケットＳを接続したときにソケットＳにパッキン等のシール部材を介して接触する部分である。したがって、ガス栓１Ｃの不使用時には被覆部８１をプラグ部２２に装着しておくことにより、ソケットＳをプラグ部２２に接続したときに、それらの接触面間にゴミ等が介在することを防止することができる。よって、プラグ部２２とソケットＳとを気密に接続することができる。
【００５１】
被覆部８１の他方の面（図２７〜図２９において上面）には、把持突出部８１ｃが形成されている。把持突出部８１ｃは、被覆部８１をプラグ２２から取り外す際に用いられるものであり、窓孔７１から指を差し込んで把持突出部８１ｃを把持し、把持突出部８１ｃを上方へ持ち上げることにより、把持部８１がプラグ部２２から取り外される。ここで、窓孔７１から指を差し込む距離は、把持突出部８１ｃの突出量の分だけ短くすることができ、その分だけ被覆部８１のプラグ部２２からの取り外しを容易に行うことができる。したがって、把持突出部８１ｃは、化粧板７の上面からプラグ部２２までの距離が長い場合に形成すると便利である。逆に、化粧板７の上面からプラグ部２２までの距離が短い場合には、把持突出部８１ｃは必ずしも形成する必要がない。把持突出部８１ｃを形成しない場合には、被覆部８１の外周面を指で把持して上方へ持ち上げることにより、被覆部８１をプラグ部２２から取り外すことができる。
【００５２】
被覆部８１の外周面の一側部には、連結部８２の基端部が被覆部８１と一体に形成されている。連結部８２は、被覆部８１と別体に形成し、その一端部（基端部）を接着その他の手段によって固着してもよい。連結部８２の先端部は、被覆部８１から離間するように被覆部８１の径方向へ向かって延びている。連結部８２は、必ずしも被覆部８１の径方向へ延ばすことなく、径方向に対して傾斜した方向に延ばしてもよい。連結部８２は、上記のように弾性を有する樹脂によって構成され、しかも細長く形成されているので、弾性変形可能である。連結部８２は、変形可能であれば、弾性的に変形可能である必要はない。例えば、紐状体のように変形可能で、かつその変形された状態を維持するようなものによって連結部８２を構成してもよい。
【００５３】
連結部８２の先端部には、一対の抜け止め突起８２ａが形成されている。一対の抜け止め突起８２ａは、連結部８２の周方向へ１８０°離れて配置されている。抜け止め突起８２ａは、連結部８２の先端から基端側へ向かうにしたがって連結部８２から離間するように傾斜させられている。したがって、一対の抜け止め突起８２ａ，８２ａの間隔は、連結部８２の先端から基端側へ向かうにしたがって大きくなっており、抜け止め突起８２ａの先端において最も大きくなっている。一対の抜け止め突起８２ａ，８２ａの先端部（連結部８２の基端側の端部）における外側の間隔は、副操作ボタン５Ｂの貫通孔５４の内径より大きくなっている。しかし、一対の抜け止め突起８２ａ、８２ａは、それらの先端部が互いに接近するように弾性変形することによって貫通孔５４を通り抜け可能であり、図３３に示すように、貫通孔５４を通り抜けた後には弾性的に復帰変形する。これによって、連結部８２が貫通孔５４に対して抜け止め状態で挿通され、キャップ８が副操作ボタン５Ｂに連結部８２を介して取り付けられている。
【００５４】
キャップ８は、副操作ボタン５Ａが副操作ボタン５Ｂに代えて又は副操作ボタン５Ｂと共に用いられる場合には、副操作ボタン５Ａに取り付けてもよい。あるいは、キャップ８を操作ボタン５に取り付けてもよい。
【００５５】
上記構成のガス栓１Ｃの不使用時には、蓋体７２によって窓孔７１を閉じておくとともに、被覆部８１でプラグ部２２の先端部を覆っておく。ガス栓１Ｃを使用する場合には、まず蓋体７２を回動変位させて窓孔７１を開く。次に、被覆部８１をプラグ部２２から取り外す。ここで、連結部８２が副操作ボタン５Ｂに抜け止め状態で取り付けられているので、被覆部８１をプラグ部２２から取り外した後にキャップ８が紛失するような事態を未然に防止することができる。その後、プラグ部２２にソケットＳを接続する。このとき、プラグ部２２のソケットＳと接触する先端部、つまりテーパ部２２ａの小径側の端部及び平面部２２ｂにゴミ等が介在することが無いので、プラグ部２２とソケットＳとを気密に接続することができる。なお、プラグ部２２から取り外した被覆部８１は、ソケットＳのプラグ部２２への接続の邪魔にならないよう、図２５に示すように、副操作ボタン５Ｂとガイド部７３との間に挟み込んでおく。ガス栓１Ｃの使用が終了したら、ソケットＳをプラグ部２２から取り外す。次に、プラグ部２２に被覆部８１を取り付ける。その後、蓋体７２によって窓孔７１を閉じる。
【００５６】
図３４及び図３５は、前記ユニット本体４１に代えて用いられるユニット本体（支持部材）４１Ａを示している。ユニット本体４１Ａには、これを上下に貫通する貫通孔４１ａが形成されている。この貫通孔４１ａは、ガイド孔４３に近接して配置されている。ユニット本体４１Ａの他の構成は、ユニット本体４１と同様である。
【００５７】
ユニット本体４１Ａには、キャップ８が取り付けられている。すなわち、貫通孔４１ａには、キャップ８の連結部８２の先端部が一対の突起８２ａ，８２ａによって抜け止め状態で挿通されている。これにより、キャップ８がユニット本体４１Ａに取り付けられている。
【００５８】
なお、この発明は、前記の実施の形態に限定されるものでなく、その要旨を逸脱しない範囲において各種の変形例を採用可能である。
例えば、前記の実施の形態においては、埋設型ガス栓１が床板Ｆの下側に配置され、根太を介して床板Ｆに固定されているが、床板Ｆに直接固定してもよい。また、この発明に係る埋設型ガス栓１は、壁板（図示せず）の室外側に配置してもよい。その場合には、ガス栓本体２のプラグ部２２が水平な室内外方向の内側に向けた状態で、ガス栓本体２が壁板に直接設けられ、あるいは壁板が支持される桟木等の壁板を含む壁の構成部材に設けられる。勿論、操作ボタン４４及び副操作ボタン５Ａは、室内外方向へ移動させられる。
また、前記の実施の形態においては、ガス栓本体２が根太及び／又は一次側ガス管に支持されているが、床板を取付板６と床板Ｆより下側に配置された一対の挟持片とによって床板Ｆを挟持することにより、ガス栓本体２を床板に固定するものであってもよい。その場合には、ガス栓本体２の取付位置が床板Ｆの厚さに応じて変化することになる。
【産業上の利用可能性】
【００５９】
この発明は、壁板の内面からガス栓本体までの水平方向の距離、あるいは床板の上面からガス栓本体までの上下方向の距離が、ガス栓の設置箇所に応じて変わるような埋設型ガス栓に利用することができる。
【符号の説明】
【００６０】
Ｉ    室内
Ｆ    床板
Ｆａ    貫通孔
Ｏ    室外
Ｓ    ソケット
１    床下埋設型ガス栓（埋設型ガス栓）
１Ａ    床下埋設型ガス栓（埋設型ガス栓）
１Ｂ    床下埋設型ガス栓（埋設型ガス栓）
１Ｃ    床下埋設型ガス栓（埋設型ガス栓）
２    ガス栓本体
５    副操作ボタン（副操作部材）
５Ａ    副操作ボタン（副操作部材）
５Ｂ    副操作ボタン（副操作部材）
７    化粧板
８    キャップ
２２    プラグ部
４１    ユニット本体
４１Ａ    ユニット本体（支持部材）
４４    操作ボタン（操作部材）
４６    解除レバー（取外し部材）
５１    位置決め凹部
５２    突出部
７３    ガイド部
８１    被覆部
８２    連結部
【図１】
0006039943.tif 000002
【図２】
0006039943.tif 000003
【図３】
0006039943.tif 000004
【図４】
0006039943.tif 000005
【図５】
0006039943.tif 000006
【図６】
0006039943.tif 000007
【図７】
0006039943.tif 000008
【図８】
0006039943.tif 000009
【図９】
0006039943.tif 000010
【図１０】
0006039943.tif 000011
【図１１】
0006039943.tif 000012
【図１２】
0006039943.tif 000013
【図１３】
0006039943.tif 000014
【図１４】
0006039943.tif 000015
【図１５】
0006039943.tif 000016
【図１６】
0006039943.tif 000017
【図１７】
0006039943.tif 000018
【図１８】
0006039943.tif 000019
【図１９】
0006039943.tif 000020
【図２０】
0006039943.tif 000021
【図２１】
0006039943.tif 000022
【図２２】
0006039943.tif 000023
【図２３】
0006039943.tif 000024
【図２４】
0006039943.tif 000025
【図２５】
0006039943.tif 000026
【図２６】
0006039943.tif 000027
【図２７】
0006039943.tif 000028
【図２８】
0006039943.tif 000029
【図２９】
0006039943.tif 000030
【図３０】
0006039943.tif 000031
【図３１】
0006039943.tif 000032
【図３２】
0006039943.tif 000033
【図３３】
0006039943.tif 000034
【図３４】
0006039943.tif 000035
【図３５】
0006039943.tif 000036